(57)【要約】【課題】座者の頭部方向に向って膨張するバッグ部分と座者の腰部方向に向って膨張するバッグ部分とからなるエアバッグをバックパッドの片側部に設けた開口部より膨張可能に備え、座者の腰部方向に向って膨張するバッグ部分のバックパッドに対する潜り込みを防ぎ、座者の頭部方向に向って膨張するバッグ部分と共に、バッグ全体としてトリムカバーの破断部より安定よく膨張展開可能に構成する。【解決手段】片端末をトリムカバー４の破断部４ａとなる縫合せ側と共縫いし、他端末をバックパッド１の開口部２よりバックフレーム側に巻込み止着する力布３により、開口部２の前下隅口内よりバックパッド１の前下側面に亘る面積領域を包み込んだ。【選択図】図５
2008114637.tif 000002
【特許請求の範囲】
【請求項１】
座者の頭部方向に向って膨張するバッグ部分と座者の腰部方向に向って膨張するバッグ部分とからなるエアバッグを有するエアバッグ装置を備え、該エアバッグ装置をバックフレームの片側部に取り付けてバックパッドの片側部に設けた開口部の内側に配置すると共に、エアバッグ装置の配置側を被包するトリムカバーの前面側と側面側との端末を縫い合わせた縫い目からエアバッグの膨張展開に伴うトリムカバーの破断部を形成するサイドエアバッグ装置を備える車両用シートにおいて、
片端末をトリムカバーの破断部となる縫合せ側と共縫いし、他端末をバックパッドの開口部よりバックフレーム側に巻込み止着する力布により、開口部の前下隅口内よりバックパッドの前下側面に亘る面積領域を包み込んだことを特徴とするサイドエアバッグ装置を備える車両用シート。
【発明の詳細な説明】
【技術分野】
【０００１】
本発明は、エアバッグ装置をバックフレームの片側部に取り付けてバックパッドの側部に設けた開口部の内側に配置すると共に、エアバッグ装置の配置側を被包するトリムカバーの前面側と側面側との端末を縫い合わせた縫い目からエアバッグの膨張展開に伴うトリムカバーの破断部を形成するサイドエアバッグ装置を備える車両用シートに関するものである。
【背景技術】
【０００２】
既に、エアバッグ装置をバックフレームの片側部に取り付けてバックパッドの側部に設けた開口部の内側に配置すると共に、エアバッグ装置の配置側を被包するトリムカバーの前面側と側面側との端末を縫い合わせた縫い目からエアバッグの膨張展開に伴うトリムカバーの破断部を形成するサイドエアバッグ装置を備える車両用シートは知られている。
【０００３】
そのサイドエアバッグ装置においては、座者の頭部方向に向って膨張するバッグ部分と座者の腰部方向に向って膨張するバッグ部分とからなるエアバッグを備え付けることが図られている。
【０００４】
そのエアバッグを備え付けるにあたり、バックパッドにおける開口部の前上側にあっては座面部分から連続する側面部分，肩面部分，背面部分が設けられていることから、当該部位がエアバッグの膨張展開に対抗可能な剛性を有するため、座者の頭部方向に向って膨張するバッグ部分のバックパッドに対する潜り込みを防げる。
【０００５】
これに対し、開口部の前下側にあっては座面部分から連続する側面部分が存在するものの、下側部分，背面部分がバックフレームを組み付ける必要から開放されているため、殊に、開口部の前下隅口内よりバックパッドの前下側面にあってはエアバッグの膨張展開に対抗可能な剛性に欠け、座者の腰部方向に向って膨張するバッグ部分のバックパッドに対する潜り込みが生じて安定よく膨張展開できない虞れがある。
【０００６】
従来、エアバッグを安定よく膨張展開させ、また、エアバッグの膨張圧をトリムカバーの破断部に効率よく作用させるため、片端末をトリムカバーの破断部となる縫合せ側と共縫いし、他端末をバックパッドの開口部よりバックフレーム側に巻込み止着する前後二つの力布により、エアバッグ装置を包み込むことが提案されている（特許文献１）。
【０００７】
その力布のうち、片方の力布は開口部の口内前側面からバックパッドの前側面に亘るものであり、開口部の前下隅口内よりバックパッドの前下側面までに亘るものとしては設けられていない。
【特許文献１】特開平８−２５８６６０号公報
【発明の開示】
【発明が解決しようとする課題】
【０００８】
本発明は、座者の頭部方向に向って膨張するバッグ部分と座者の腰部方向に向って膨張するバッグ部分とからなるエアバッグをバックパッドの片側部に設けた開口部より膨張可能に備え、座者の腰部方向に向って膨張するバッグ部分のバックパッドに対する潜り込みを防ぎ、バッグ全体としてトリムカバーの破断部より安定よく膨張展開可能なサイドエアバッグ装置を備える車両用シートを提供することを課題とする。
【課題を解決するための手段】
【０００９】
本発明は、座者の頭部方向に向って膨張するバッグ部分と座者の腰部方向に向って膨張するバッグ部分とからなるエアバッグを有するエアバッグ装置を備え、該エアバッグ装置をバックフレームの片側部に取り付けてバックパッドの片側部に設けた開口部の内側に配置すると共に、エアバッグ装置の配置側を被包するトリムカバーの前面側と側面側との端末を縫い合わせた縫い目からエアバッグの膨張展開に伴うトリムカバーの破断部を形成するサイドエアバッグ装置を備える車両用シートにおいて、
片端末をトリムカバーの破断部となる縫合せ側と共縫いし、他端末をバックパッドの開口部よりバックフレーム側に巻込み止着する力布により、開口部の前下隅口内よりバックパッドの前下側面に亘る面積領域を包み込んだことを特徴とする。
【発明の効果】
【００１０】
本発明に係るサイドエアバッグ装置を備える車両用シートによれば、エアバッグの膨張展開時に、開口部の前下隅口内よりバックパッドの前下側面に亘る面積領域を包み込む力布が座者の腰部方向に向って下方に膨張展開するバッグ部分のガイドとなり、当該バッグ部分のバックパッドに対する潜り込みを防げるから、当該バッグ部分もトリムカバーの破断部に向けてスムーズに展開するようにできる。
【発明を実施するための最良の形態】
【００１１】
以下、添付図面を参照して説明すると、図１はサイドエアバッグ装置を備えるシート用のバックパッド１を片側面より示す。そのバックパッド１には、エアバッグケース収容型のエアバッグ装置（図示せず）を組み付けるに要する縦長な開口部２が空洞状に設けられている。このバックパッド１では、開口部２の前下隅口内よりバックパッド１の前下側面に亘る面積領域（斜線部参照）が力布３で包み込まれている。
【００１２】
力布３は、ポリエステル不織布や綿布等の伸びの少ない材質のもので形成されている。その力布３は、図２で示すように片端末をトリムカバー４の破断部となる縫合せ側５と共縫いし、他端末をバックパッド１の開口部２より内側に巻き込んで後述するバックフレームのサイドプレートに端末止着することから、開口部２の前下隅口内よりバックパッド１の前下側面に亘る面積領域を包み込むよう張設されている。
【００１３】
エアバッグ装置６は、図３で示すようにエアバッグ６ａ，インフレータ（図示せず）をエアバッグ６ａの膨張圧で開放可能なバッグケース６ｂの内部に収容したものが備え付けられている。エアバッグ６ａとしては、後述する如く座者の頭部方向に向って膨張するバッグ部分（以下「上方バッグ部分」という。）と腰部方向に向って膨張するバッグ部分（以下「下方バッグ部分」という。）とから略双子山状に展開するものが一つ組み付けられている。
【００１４】
エアバッグ装置６はバックフレーム７のサイドプレート７ａにボルト締め固定し、バッグケース６ｂのケース蓋をバックパッド１の開口部２より外方に臨ませてバックパッド１の片側部に組み付けられている。トリムカバー４には、エアバッグ６ａの膨張展開に伴う破断部４ａがエアバッグ装置６の装備側を被包する前面カバー（バケットシートの場合、土手面カバーを示す。）４ｂと側面カバー４ｃとの端末間を縫い合わせた縫い目で形成されている。
【００１５】
そのケース収容型のものに代えて、インフレータ，エアバッグを含むエアバッグモジュールをバックフレームのサイドプレートに直接取り付けると共に、エアバッグをバックパッドの開口部に臨ませて外方に膨張展開可能に組み付ける直付けタイプのものをエアバッグ装置として装備するようにできる。
【００１６】
トリムカバー４には、図４で示すように破断部４ａを形成する縫い目より前面カバー４ｂと側面カバー４ｃとに分けて双方に亘る力布８，９をエアバッグの膨張展開領域に備え付けるようにできる。その力布８，９は、前面カバー４ｂ，側面カバーの内側に縫い付けまたはラミネートで一体に積層させてトリムカバー４に備え付けるようにできる。
【００１７】
各力布８，９は、ポリエステル不織布や綿布等のエアバッグの膨張圧を受けても伸びの少ない材質のもので形成するようにできる。この力布８，９としては、座者の頭部方向に向って膨張展開する上方バッグ部分と座者の腰部方向に向って膨張展開する下方バッグ部分を当初個別に膨張展開するよう破断部４ａの中央相当部分を凹状に切り欠いたものを備え付けるようにできる。
【００１８】
力布８，９の片端末は、トリムカバー４の破断部４ａを形成する縫い目により共縫いする。力布８の他端末は、前面カバー４ｂの吊込み部４ｄと共にバックパッド１の支持スプリング１０との間に掛け止めるワイヤリング１１でバックパッド１の内部に吊込み止着する。力布９の他端末は、側面カバー４ｃの吊込み部４ｅと共にバックフレーム７のリテーナ７ｂにワイヤリング１２で引張止着する。なお、図４中符号１３はバックボードを示す。
【００１９】
このように構成するサイドエアバッグ装置を備える車両用シートでは、車体側に装備された衝撃センサーが作動し、衝撃センサーから出力信号がインフレータに送信されると、図５で示すようにエアバッグ６ａがインフレータの出力圧を受けて膨張展開する。
【００２０】
そのエアバッグ６ａの膨張展開に際し、バックパッド１における開口部２の前上側にあっては座面部分から連続する側面部分，肩面部分，背面部分でエアバッグ６ａの膨張展開に対抗可能な剛性を有するため、上方バッグ部分６０はバックパッド１に対する潜り込みを防げることによりトリムカバー４の破断部４ａに向けてスムーズに展開できる。
【００２１】
バックパッド１における開口部２の前下側にあっては下側部分，背面部分の開放形態からエアバッグ６ａの膨張展開に対抗可能な剛性に欠けていても、開口部２の前下隅口内よりバックパッド１の前下側面に亘る面積領域を包み込む力布３がガイドとなってバックパッド１に対する潜り込みを防げるから、下方バッグ部分６１もトリムカバー４の破断部４ａに向けてスムーズに展開できる。
【００２２】
それと共に、力布８，９がエアバッグ６ａの膨張圧を受けるが、いずれも伸びないで互いに引張り合うよう突張り作用するところから、トリムカバー４の破断部４ａとなる縫い目に対してエアバッグの膨張による応力を瞬時に集中作用させる。このため、破断部４ａとなる縫い目は力布８，９で強く引っ張られて速やかに切れ出すため、エアバッグの膨張展開に必要な縫い目を迅速且つ確実に切開させられる。
【００２３】
力布８，９としては、破断部４ａの中央相当部分を凹状に切り欠いたものが備え付けられているため、破断部４ａとなる縫い目は力布８，９の切欠部分を隔てて個別に切れ出すようになる。これにより、当初は座者の頭部方向に向って膨張展開する上方バッグ部分６０と座者の腰部方向に向って膨張展開する下方バッグ部分６１とが個別に膨張展開することから、各バッグ部分６０，６１の膨張展開方向を安定よく定められる。
【図面の簡単な説明】
【００２４】
【図１】本発明に係るサイドエアバッグ装置を備えるシート用のバックパッドを示す側面図である。
【図２】同バックパッドによるシートバックを部分的に切り欠いて示す斜視図である。
【図３】本発明に係る車両用シートのシートバックを示す断面図である。
【図４】本発明に係る車両用シートを全体的に示す斜視図である。
【図５】本発明に係る車両用シートのシートバックをエアバッグの膨張展開状態で示す説明図である。
【符号の説明】
【００２５】
１      バックパッド
２      開口部
３      力布
４      トリムカバー
４ａ    トリムカバーの破断部
５      トリムカバーの縫い目
６      エアバッグ装置
７      バックフレーム
【図１】
2008114637.tif 000003
【図２】
2008114637.tif 000004
【図３】
2008114637.tif 000005
【図４】
2008114637.tif 000006
【図５】
2008114637.tif 000007